(57)【要約】【課題】転送したい画像を簡単な操作で早く選択して優先的に転送できる技術を実現する。【解決手段】通信装置は、外部装置と通信可能な通信手段と、画像を表示する表示手段と、ユーザ操作を受け付ける操作手段と、画像の表示中に、第１の操作部材と第２の操作部材を同時に押下する第１の操作が行われたことに応じて、前記表示中の画像を前記外部装置に転送する転送対象画像として指定する指定手段と、前記転送対象画像の表示中に前記第１の操作を所定の時間以上継続して行う第２の操作が行われたことに応じて、前記表示中の画像を前記転送対象画像よりも優先的に転送する優先転送対象に設定する制御手段と、を有する。【選択図】図９
2018137725.tif 000002
【特許請求の範囲】
【請求項１】
外部装置と通信可能な通信手段と、
画像を表示する表示手段と、
ユーザ操作を受け付ける操作手段と、
画像の表示中に、第１の操作部材と第２の操作部材を同時に押下する第１の操作が行われたことに応じて、前記表示中の画像を前記外部装置に転送する転送対象画像として指定する指定手段と、
前記転送対象画像の表示中に前記第１の操作を所定の時間以上継続して行う第２の操作が行われたことに応じて、前記表示中の画像を前記転送対象画像よりも優先的に転送する優先転送対象に設定する制御手段と、を有することを特徴とする通信装置。
【請求項２】
前記制御手段は、前記第１の操作が行われてから所定の時間以内に再び前記第１の操作が行われたことに応じて、表示中の画像の転送対象の指定または優先転送対象の設定を解除することを特徴とする請求項１に記載の通信装置。
【請求項３】
外部装置と通信可能な通信手段と、
画像を撮像する撮像手段と、
画像を表示する表示手段と、
ユーザ操作を受け付ける操作手段と、
画像の表示中に、第１の操作部材と第２の操作部材を同時に押下する第１の操作が行われたことに応じて、前記表示中の画像を前記外部装置に転送する転送対象画像として指定する指定手段と、
前記第１の操作部材が操作されている状態で前記撮像手段により撮像された画像を記録する撮影処理の開始が指示されたことに応じて、前記撮影処理により記録された画像を前記転送対象画像よりも優先的に転送する優先転送対象に設定する制御手段と、を有することを特徴とする通信装置。
【請求項４】
前記第１の操作部材は、前記撮影処理の開始を指示する操作部材とは異なる操作部材であることを特徴とする請求項３に記載の通信装置。
【請求項５】
前記制御手段は、前記表示されている画像を優先転送対象に設定した後、前記第１の操作が行われたことに応じて、当該表示されている画像の優先転送対象の設定を解除することを特徴とする請求項３または４に記載の通信装置。
【請求項６】
前記表示手段は、前記撮影処理の直後の画像を表示し、
前記制御手段は、前記撮影処理の直後の画像を表示中に前記第１の操作が行われたことに応じて、前記表示中の画像を優先転送対象に設定することを特徴とする請求項３から５のいずれか１項に記載の通信装置。
【請求項７】
前記表示手段は、前記転送対象画像に重畳して転送対象画像に指定されていることを示す第１の指標を表示することを特徴とする請求項１から６のいずれか１項に記載の通信装置。
【請求項８】
前記表示手段は、前記優先転送対象の画像に重畳して優先転送対象に設定されていることを示す第２の指標を表示することを特徴とする請求項７に記載の通信装置。
【請求項９】
前記第１の指標および前記第２の指標は、画像が転送待ちである状態を示す第３の指標と、転送中であることを示す第４の指標と、転送完了を示す第５の指標と、を含むことを特徴とする請求項８に記載の通信装置。
【請求項１０】
前記制御手段は、前記転送対象画像および前記優先転送対象の画像を管理する転送管理リストを有し、
前記転送管理リストに登録された順序で転送対象画像を転送することを特徴とする請求項１から９のいずれか１項に記載の通信装置。
【請求項１１】
前記制御手段は、前記優先転送対象の画像が前記転送管理リストに既に存在する転送対象画像よりも優先的に転送されるように前記転送管理リストを更新することを特徴とする請求項１０に記載の通信装置。
【請求項１２】
前記転送管理リストは、前記転送対象画像の画像関連情報と、当該画像の転送状態を示す情報を含み、
前記転送状態は、前記転送対象画像および前記優先転送対象の画像の転送待ち、転送中、転送完了を含むことを特徴とする請求項１１に記載の通信装置。
【請求項１３】
前記制御手段は、前記転送対象画像および前記優先転送対象の画像の転送が完了すると、当該画像の画像関連情報を前記転送管理リストから削除することを特徴とする請求項１２に記載の通信装置。
【請求項１４】
前記表示手段は、記録手段に記録された画像を再生する再生手段であることを特徴とする請求項１から１３のいずれか１項に記載の通信装置。
【請求項１５】
前記指定手段は、前記撮像手段により撮像された画像が逐次表示されているときに、前記第１の操作が行われたことに応じて、前記表示されている画像を前記転送対象画像に指定し、
前記制御手段は、前記転送対象画像が逐次表示されているときに、前記第１の操作部材が操作されている状態で前記撮影処理の開始が指示されたことに応じて、前記撮影処理により記録された画像を前記優先転送対象に設定することを特徴とする請求項３から６のいずれか１項に記載の通信装置。
【請求項１６】
前記第１の操作部材と前記第２の操作部材は、ユーザの異なる手で操作可能な位置にある操作部材であることを特徴とする請求項１から１５のいずれか１項に記載の通信装置。
【請求項１７】
前記第１の操作部材と前記撮影処理の開始を指示する操作部材は、ユーザの異なる手で操作可能な位置にある操作部材であることを特徴とする請求項４に記載の通信装置。
【請求項１８】
前記制御手段は、前記撮影処理の開始を指示する操作部材が継続して操作され、前記撮影処理が連写撮影であるか判定し、
前記連写撮影中に前記第１の操作部材が操作されたことに応じて連写撮影されたすべての画像を優先転送対象に設定することを特徴とする請求項３から６のいずれか１項に記載の通信装置。
【請求項１９】
前記連写撮影された優先転送対象の画像の転送順序を設定する設定手段をさらに有することを特徴とする請求項１８に記載の通信装置。
【請求項２０】
前記制御手段は、前記連写撮影された画像が再生されている状態で前記第１の操作が所定の時間以上継続して行われたことに応じて、選択された画像を優先転送対象に設定することを特徴とする請求項１８に記載の通信装置。
【請求項２１】
外部装置と通信可能な通信手段と、画像を表示する表示手段と、ユーザ操作を受け付ける操作手段と、画像の表示中に、第１の操作部材と第２の操作部材を同時に押下する第１の操作が行われたことに応じて、前記表示中の画像を前記外部装置に転送する転送対象画像として指定する指定手段とを有する通信装置の制御方法であって、
前記転送対象画像の表示中に前記第１の操作を所定の時間以上継続して行う第２の操作が行われたことに応じて、前記表示中の画像を前記転送対象画像よりも優先的に転送する優先転送対象に設定するステップを有することを特徴とする制御方法。
【請求項２２】
外部装置と通信可能な通信手段と、画像を撮像する撮像手段と、画像を表示する表示手段と、ユーザ操作を受け付ける操作手段と、画像の表示中に、第１の操作部材と第２の操作部材を同時に押下する第１の操作が行われたことに応じて、前記表示中の画像を前記外部装置に転送する転送対象画像として指定する指定手段とを有する通信装置の制御方法であって、
前記第１の操作部材が操作されている状態で前記撮像手段により撮像された画像を記録する撮影処理の開始が指示されたことに応じて、前記撮影処理により記録された画像を前記転送対象画像よりも優先的に転送する優先転送対象に設定するステップを有することを特徴とする制御方法。
【請求項２３】
コンピュータを、請求項１から２０のいずれか１項に記載の通信装置の各手段として機能させるためのプログラム。
【請求項２４】
コンピュータを、請求項１から２０のいずれか１項に記載の通信装置の各手段として機能させるためのプログラムを記憶したコンピュータによる読み取りが可能な記憶媒体。
【発明の詳細な説明】
【技術分野】
【０００１】
本発明は、装置間の画像転送技術に関する。
【背景技術】
【０００２】
近年のネットワークを介したデータ転送速度の向上に伴い、カメラなどの撮像装置は、撮影した画像をネットワーク経由でサーバーコンピュータなどの外部装置へ転送可能となっている。このような画像転送機能では、撮像装置のユーザが、転送したい画像を転送対象として指定することができる。そして、転送対象として指定された画像は撮像装置から外部装置へ順次転送される。このような転送したい画像を指定する操作は、例えば、複数のボタンを押すなど、ユーザにとって少ない手順でかつ簡単であることが望ましい。特許文献１には、カメラで撮影された画像を自動転送するか、ユーザ指示応じて転送するかを制御する技術が開示されている。
【先行技術文献】
【特許文献】
【０００３】
【特許文献１】特開２０１０−７４２３９号公報
【発明の概要】
【発明が解決しようとする課題】
【０００４】
ところで、上記のように転送対象に指定した画像が順次転送される際に、転送順序が後の画像や転送対象に指定されていない画像を前の順番に割り込ませて優先的に転送できるような手段があると便利である。
【０００５】
本発明は、上記課題に鑑みてなされ、その目的は、転送したい画像を簡単な操作で早く選択して優先的に転送できる技術を実現することである。
【課題を解決するための手段】
【０００６】
上記課題を解決し、目的を達成するために、本発明の通信装置は、外部装置と通信可能な通信手段と、画像を表示する表示手段と、ユーザ操作を受け付ける操作手段と、画像の表示中に、第１の操作部材と第２の操作部材を同時に押下する第１の操作が行われたことに応じて、前記表示中の画像を前記外部装置に転送する転送対象画像として指定する指定手段と、前記転送対象画像の表示中に前記第１の操作を所定の時間以上継続して行う第２の操作が行われたことに応じて、前記表示中の画像を前記転送対象画像よりも優先的に転送する優先転送対象に設定する制御手段と、を有する。
【発明の効果】
【０００７】
本発明によれば、転送したい画像を簡単な操作で早く選択して優先的に転送できるようになる。
【図面の簡単な説明】
【０００８】
【図１】本実施形態の撮像装置の機能ブロック図（ａ）および背面図（ｂ）。
【図２】本実施形態のシステム構成図。
【図３】本実形態の画像転送処理を説明する図。
【図４】本実施形態の画像転送処理に用いる転送管理リストを例示する図。
【図５】実施形態１の画像再生時に優先転送処理を行った場合の表示例を示す図。
【図６】実施形態１の画像撮影時に優先転送処理を行った場合の表示例を示す図。
【図７】実施形態１のクイックレビュー時に優先転送処理を行った場合の表示例を示す図。
【図８】図７とは異なる表示例を示す図。
【図９】実施形態１の画像再生時における優先転送処理を示すフローチャート。
【図１０】実施形態１の画像撮影時およびクイックレビュー時における優先転送処理を示すフローチャート。
【図１１】実施形態２の連写撮影時における優先転送処理を示すフローチャート。
【図１２】実施形態２の画像再生時における優先転送処理を示すフローチャート。
【図１３】図１１の変形例の優先転送処理を示すフローチャート。
【図１４】優先転送処理における転送順序を設定する方法を説明する図。
【図１５】実施形態３の画像再生時における優先転送処理を示すフローチャート。
【発明を実施するための形態】
【０００９】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１０】
本実施形態では、デジタルカメラなどの撮像装置やカメラ機能を有する通信装置が通信ネットワークを介してサーバーコンピュータ（ＰＣ）などの外部装置に画像などのコンテンツを転送するシステムについて説明する。なお、本実施形態の撮像装置はデジタルカメラに限らず、例えば、タブレットデバイス、メディアプレーヤ、監視カメラ、医療機器などであってもよい。また、カメラ機能を有する通信装置は、例えば、携帯電話の一種であるスマートフォン、通信機能付きのデジタルカメラ、タブレットデバイスなどが想定される。また、本実施形態の外部装置はサーバーコンピュータに限らず、例えば、携帯電話の一種であるスマートフォン、通信機能付きのデジタルカメラ、タブレットデバイス、パーソナルコンピュータ（ＰＣ）などであってもよい。
【００１１】
＜装置構成＞図１を参照して、本実施形態の撮像装置１００の構成および機能の概略について説明する。
【００１２】
図１において、（ａ）は本実施形態の撮像装置１００の機能ブロック図、（ｂ）は背面図である。
【００１３】
図１（ａ）において、制御部１０１は、撮像装置１００の全体を統括して制御する演算処理装置（ＣＰＵ）であって、後述する不揮発性メモリ１０６に格納されたプログラムを実行することで、後述するフローチャートの各処理を実現する。なお、制御部１０１が装置全体を制御する代わりに、複数のハードウェアが処理を分担することで、装置全体を制御してもよい。
【００１４】
光学系１０２は、ズームレンズやフォーカスレンズを含むレンズ群、絞り機能を備えるシャッターを含む。撮像部１０３は、被写体像を電気信号に変換するＣＣＤやＣＭＯＳ等で構成されるイメージセンサである。Ａ／Ｄ変換器１０４は、撮像部１０３から出力されるアナログ画像信号をデジタル信号に変換する。
【００１５】
画像処理部１０５は、撮像部１０３により撮像された動画や静止画などの画像データに対し、画素補間、縮小といったリサイズ処理や色変換処理を行う。また、画像処理部１０５は、上記処理を施した静止画データをＪＰＥＧ等により圧縮符号化したり、動画データをＭＰＥＧ２やＨ．２６４等の動画圧縮方式でエンコードして画像ファイルを生成し、記録媒体１１１に記録する。また、画像処理部１０５は、撮像した画像データを用いて所定の演算処理を行い、得られた演算結果に基づき、制御部１０１が光学系１０２のフォーカスレンズや絞り、シャッターを制御することで、ＡＦ（オートフォーカス）処理やＡＥ（自動露出）処理を行う。さらに、画像処理部１０５は、撮影時に構図やフォーカスを確認するためのライブビュー画像の生成も行う。
【００１６】
不揮発性メモリ１０６は、電気的に消去・記録可能なメモリであり、例えばＥＥＰＲＯＭ等が用いられる。不揮発性メモリ１０６には、制御部１０１の動作用の定数、プログラム等が記録される。ここでいう、プログラムとは、本実施形態にて後述する各種フローチャートを実行するためのプログラムのことである。
【００１７】
作業用メモリ１０７は、制御部１０１の動作用の定数、変数、不揮発性メモリ１０６から読み出したプログラムなどを展開する作業領域として使用される。また、作業用メモリ１０７は、撮像部１０３で撮像された画像データを一時的に保持するバッファメモリや、表示部１０９の画像表示用メモリとして使用される。
【００１８】
操作部１０８は、ユーザ操作を受け付ける各種スイッチ、ボタン、タッチパネル等の操作手段であり、例えば、図１（ｂ）に示す操作部材１１２〜１１８を含む。各操作部材１１２〜１１８の構成については後述する。制御部１０１は、ユーザ操作に応じた操作部１０８からの指示に基づき、外部装置との通信、画像の撮影、表示、再生などの制御を行う。また、制御部１０１は、後述する再生画像や撮影画像の転送処理を実行する。また、制御部１０１は、本実施形態の転送処理に用いる転送管理リストの制御なども行う。
【００１９】
表示部１０９は、撮影準備時のライブビュー画像の表示、撮影した画像の表示、対話的な操作のための文字表示などを行う。表示部１０９は、例えば、液晶ディスプレイ、有機ＥＬディスプレイ等の表示デバイスである。表示部１０９は、撮像装置１００と一体化された構成であっても、撮像装置１００と接続された外部機器であってもよい。
【００２０】
記録媒体１１１は、画像処理部１０５により符号化された画像ファイルが記録されたり、制御部１０１により既に記録されている画像ファイルが読み出される。記録媒体１１１は、撮像装置１００に装着されるメモリカードやハードディスクドライブなどであってもよいし、撮像装置１００に内蔵されたフラッシュメモリやハードディスクドライブであってもよい。
【００２１】
通信部１１０は、図２で後述するスマートフォンやＰＣなどの外部装置２００と通信可能に接続するためのインターフェースである。本実施形態の撮像装置１００は、通信部１１０を介して、外部装置２００とデータの授受を行うことができる。例えば、制御部１０１は、撮像部１０３で生成された画像データを、通信部１１０を介して外部装置２００に送信することができる。なお、本実施形態では、通信部１１０は外部装置とＩＥＥＥ８０２．１１の規格に従った、いわゆる無線ＬＡＮやＷｉＭＡＸで通信するためのインターフェースを含む。制御部１０１は、通信部１１０を制御することで外部装置２００との無線通信を実現する。なお、通信方式は無線ＬＡＮに限定されるものではなく、例えばＢｌｕｅｔｏｏｔｈ（登録商標）などを用いることができる。また、Ｅｔｈｅｒｎｅｔ（登録商標）やＵＳＢ（Ｕｎｉｖｅｒｓａｌ Ｓｅｒｉａｌ Ｂｕｓ）などの有線通信を用いてもよい。
【００２２】
ここで、図１（ｂ）を参照して、本実施形態の撮像装置１００の操作部１０８の構成を説明する。
【００２３】
操作部１０８は、ＯＫボタン１１２、セットボタン１１３、再生ボタン１１４、マルチコントローラ１１５、撮影ボタン１１６、レーティングボタン１１７、拡大ボタン１１８などの押しボタン式の操作部材を含む。また、これらの操作部材１１２〜１１８が表示部１０９と一体構成されたタッチパネル上に設けられたタッチボタンの形態であってもよい。
【００２４】
ＯＫボタン１１２は、ユーザがメニュー画面などで選択した項目や設定を確定する指示を制御部１０１に送出する操作部材である。ＯＫボタン１１２は、例えば、削除する画像や転送する画像など、ユーザによる最終的な確認が必要な設定について事前にその要否をユーザに判断させるために用いられる。
【００２５】
セットボタン１１３は、ユーザがメニュー画面などで選択した項目を決定する指示を制御部１０１に送出する操作部材である。セットボタン１１３は、ＯＫボタン１１２と同様にユーザの選択に用いられるボタンであるが、ユーザがメニュー画面などで項目や画像などを選択する際など、より汎用的な選択操作のために用いられる。
【００２６】
再生ボタン１１４は、画像の再生指示（再生モードへの移行指示）を制御部１０１に送出する操作部材である。制御部１０１は、再生ボタン１１４が押されたことに応じて、記録媒体１１１に記録されている画像データを読み出し、作業用メモリ１０７に一時的に保持し、表示部１０９に表示する再生処理を行うことができる。
【００２７】
マルチコントローラ１１５は、上下左右の十字キーを含み、ユーザがメニュー画面などで項目や画像を選択する指示を制御部１０１に送出する操作部材である。ユーザは、マルチコントローラ１１５の上下左右のキーを押下することでカーソルを所望の位置に移動させ、セットボタン１１３を押下することで所望の項目や画像を選択することができる。
【００２８】
撮影ボタン１１６は、ユーザが撮影開始の指示を制御部１０１に送出するシャッターレリーズボタンや録画開始ボタンなどの操作部材である。制御部１０１は、撮影ボタン１１６が押下されたことに応じて、不揮発性メモリ１０６に格納されたプログラムに従い、画像の撮影、撮影直後の画像のクイックレビュー表示、記録媒体１１１への書き込みなどの一連の撮影処理を開始する。
【００２９】
レーティングボタン１１７は、再生中の画像に対してレーティングを付与する指示を制御部１０１に送出する操作部材である。制御部１０１は、画像の再生中にレーティングボタン１１７が押下されたことに応じて、再生中の画像に対してレーティングを付与する。
【００３０】
拡大ボタン１１８は、再生中の画像を拡大して表示する指示を制御部１０１に送出する操作部材である。制御部１０１は、画像の再生中に拡大ボタン１１８が押下されたことに応じて、再生中の画像を拡大する。
【００３１】
次に、図２を参照して、本実施形態のシステム構成について説明する。
【００３２】
図２において、本実施形態のシステムは、上述した撮像装置１００が無線通信や有線通信を行うネットワーク２０１を介してスマートフォンやサーバーコンピュータ（ＰＣ）などの画像転送先の外部装置２００に接続され、撮影された画像を転送する。図示は省略するが、外部装置２００は、撮像装置１００と同様に、制御部、作業用メモリ、不揮発性メモリ、画像処理部、通信部、表示部、操作部、記録媒体などを備える。ネットワーク２０１は、装置間で画像などのデータ転送が可能であれば、通信方式を特に限定するものではない。本実施形態では、撮像装置１００から外部装置２００へ画像を転送するユースケースとして、テレビ局や新聞社の報道業務などで利用されている技術の１つである、ＦＴＰ（Ｆｉｌｅ Ｔｒａｎｓｆｅｒ Ｐｒｏｔｏｃｏｌ）に基づくデータ通信を想定している。ＦＴＰでは、撮像装置１００で撮影した画像を自動で転送する機能や、画像再生中に所定の操作を行うことで画像転送を開始する機能を用いることができる。特にオリンピックなどのビッグイベントでは、撮影者と画像を加工する編集者が異なっているケースが想定され、そのような状況において、撮影した画像を少しでも早く編集者に転送することが要求される。また、カメラの連写撮影機能なども高性能化しているため、一度に大量の画像が撮影されることがあるが、そのような状況においても、転送したい画像をいかに早く、かつ、簡単に選択して転送できるかが重要となる。
【００３３】
＜画像転送処理＞次に、図３を参照して、本実施形態の撮像装置１００による画像転送処理を説明する。
【００３４】
図３（ａ）は、画像再生時の表示部１０９の表示状態を例示している。制御部１０１は、再生ボタン１１４が押下されたことに応じて、記録媒体１１１に記録されている画像データを読み出し、表示部１０９に表示すると同時に、現在表示している画像のファイル名３００などの画像関連情報を表示する。また、本実施形態では、画像再生時に操作部１０８の特定の２つのボタンが同時に押下された同時押し状態となったと判定されると、制御部１０１は、現在再生中の画像を転送対象の画像として指定するような制御を行う。２つのボタンをどのボタンに割り当てるかは種々の構成が考えられるが、通常右手で操作可能なボタンと、左手で操作可能なボタンに割り当てることが望ましい。撮影者にとって同時に押下する操作が容易だからである。例えば、２つのボタンは、カメラを横位置に構えた状態でカメラボディの背面の左端側と右端側に配置されている。本実施形態では、ＯＫボタン１１２とセットボタン１１３が同時に押下状態になったことに応じて転送対象画像が指定されるものとする。なお、ＯＫボタン１１２ではなく、レーティングボタン１１７や拡大ボタン１１８を用いてもよい。同時に押下するボタンの操作性を考慮すると、カメラを横位置に構えた状態でカメラボディの背面の左端および右端に配置されている方が操作性がよく、ユーザがボタンを操作しやすい。
【００３５】
図３（ｂ）は、表示部１０９に、再生画像に重畳して当該画像が転送対象画像となっていることを示す第１の指標３０１が表示された状態を例示している。このように再生画像が転送対象となっていることを示す第１の指標３０１を表示することで、ユーザに再生画像が転送対象であることを明示することができる。そして、制御部１０１は、上記のように転送対象画像が存在し、通信部１１０によって転送先の外部装置との接続が確立されている場合には、転送対象画像を自動で転送するように制御する。
【００３６】
図３（ｃ）は、転送対象の画像が転送中の状態を例示している。画像転送中は、表示部１０９に、再生画像が転送中であることを示す、点線表示された第２の指標３０２が表示される。図示の例では、第１の指標３０１と第２の指標３０２でアイコンの表示形態を変更しているが、アイコンの表示形態は同一とし、色などを変えてもよい。また、アイコンを点滅させるようにしてもよい。あくまでもユーザに対して、転送対象の画像として選択され転送待ちの状態から、転送中の状態に変わったことを明示できればよい。図３（ｄ）は、転送対象の画像の転送が完了した後の状態を例示している。画像の転送が完了した後は、表示部１０９に、画像の転送が完了したことを示す第３の指標３０３が表示される。図３（ｃ）に示した画像転送中の第２の指標３０２と同様に、第３の指標３０３は、アイコンの表示形態や色などを変えて表示すればよい。なお、図３（ｂ）のように転送対象の画像の再生中に、ＯＫボタン１１２とセットボタン１１３が同時に押下されると、制御部１０１は、転送対象画像の指定を解除する。本実施形態では、ＯＫボタン１１２とセットボタン１１３の同時押しが、転送対象画像を指定するかどうかを切り替えるようなトグルボタンとして機能する。
【００３７】
＜転送管理リスト＞次に、図４を参照して、転送対象画像を管理するための転送管理リストについて説明する。
【００３８】
図４において、４００は記録媒体１１１に記録されている画像ファイルのイメージである。以下では、記録媒体１１１に記録されている画像ファイル４００の画像関連情報としてＩＭＧ＿０００１、ＩＭＧ＿０００２およびＩＭＧ＿０００３という３つのファイル名が存在することを前提とし、図３（ａ）〜（ｄ）の各状態に対応させて説明を行う。図３（ａ）の状態では画像ＩＭＧ＿０００１が表示部１０９に表示されている。このような状態で、制御部１０１は、ＯＫボタン１１２とセットボタン１１３の同時押しを検知すると、転送管理リスト４０１に転送対象の画像の画像関連情報としてファイル名（ＩＭＧ＿０００１）を追加し、その画像の転送状態を示す転送ステータスを「転送待ち」に設定する。そして、図３（ｂ）のように、表示部１０９に転送対象の画像となっていることを示す第１の指標３０１を表示する。その後、図３（ｃ）のように画像転送中に切り替わると、制御部１０１は、転送管理リスト４０２の転送対象画像（ＩＭＧ＿０００１）の転送ステータスを「転送中」に更新する。その後、図３（ｄ）のように画像の転送が完了すると、制御部１０１は、転送管理リスト４０３の転送対象画像（ＩＭＧ＿０００１）の転送ステータスを「転送完了」に更新する。ここでは、１つの画像ファイルが転送対象として選択され、その画像が転送待ち、転送中、転送完了となる場合の転送管理リストの制御について説明したが、４０４のように予め複数の転送対象画像を転送管理リストに追加することも可能である。この場合、再生画像が切り替わるごとにＯＫボタン１１２とセットボタン１１３の同時押しが行われることに応じて、転送管理リフト４０４のように転送対象画像が順次追加されていく。そして、それぞれの転送対象画像が転送待ちから転送中、転送完了となるごとに転送ステータスが更新される。転送管理リストは、不揮発性メモリ１０６や記録媒体１１１に記録されており、制御部１０１が使用する際に作業用メモリ１０７に展開される。
【００３９】
なお、転送対象画像の転送ステータスには、「転送待ち」、「転送中」、「転送完了」が存在し、後述する優先転送対象画像の転送ステータスには、「優先転送待ち」、「転送中」、「優先転送中」が存在する。
【００４０】
以上の説明では再生画像の転送処理を説明したが、撮影画像を自動で転送する処理についても説明する。本実施形態の撮像装置１００は、メニュー画面などで撮影画像を転送するかどうかを事前にユーザに選択させておき、撮影画像を自動転送するように設定されている場合には、撮影画像を転送先へ自動で転送する機能を備える。このような場合でも、再生画像と同様に、撮影画像を撮影された順番に転送管理リストに追加することで、撮影時の自動転送が実現される。
【００４１】
上述した再生画像や撮影画像の転送処理では、転送対象画像は転送管理リストに登録された順序で転送されるが、この場合、転送順序が後の画像や転送対象に指定されていない画像を前の順番に割り込ませて優先的に転送させることができると便利である。このような機能は、一刻でも早く画像を転送することが求められているユースケースで特に有用である。そこで、本実施形態では、既存のカメラのボタン配置のまま本来の操作性を損なわないように、転送したい画像を簡単な操作で早く選択して転送できる技術を実現する。
【００４２】
以下、図５から図８を参照して、本実施形態の優先転送処理について説明する。
【００４３】
＜画像再生時の優先転送処理＞
図５は画像再生時に優先転送を行った場合の表示例を示している。図５（ａ）の再生中と図５（ｂ）の再生中の転送対象画像の指定は、図３（ａ）および図３（ｂ）で説明した通りある。図５（ｂ）のように転送対象画像５００の再生中に、ＯＫボタン１１２とセットボタン１１３の同時押しを所定の時間以上継続して行った場合、制御部１０１は、再生中の転送対象画像５００を優先転送対象に設定する。
【００４４】
図５（ｃ）は、図５（ｂ）の状態でＯＫボタン１１２とセットボタン１１３が同時に長押しされたことによって転送対象画像５００が優先転送対象に設定された状態を例示している。図５（ｃ）の状態では、転送対象画像５００の画像関連情報（ファイル名）が転送管理リストの先頭に移動され、転送ステータスが「優先転送待ち」に更新される。そして、表示部１０９に転送対象画像５００に重畳して当該画像が優先転送の対象に設定されたことを示す第４の指標５０２が表示される。第４の指標５０２は第１の指標５０１と識別可能なように、第１の指標５０１のアイコンとは異なる形態や色で表示され、ユーザに優先転送の対象であることを明示する。図示の例では、第１の指標５０１と第４の指標５０２でアイコンの表示形態を変更しているが、アイコンの表示形態は同一とし、色などを変えてもよい。あくまでもユーザに対して、転送対象の画像が優先転送の対象に変わったことを明示できればよい。
【００４５】
図５（ｄ）は、優先転送対象画像の転送中の状態を例示している。図５（ｄ）の状態では、転送対象画像５００の転送ステータスが「優先転送中」に更新され、表示部１０９に、優先転送対象画像が転送中であることを示す第５の指標５０３が表示される。図示の例では、第４の指標５０２と第５の指標５０３でアイコンの表示形態を変更しているが、アイコンの表示形態は同一とし、色などを変えてもよい。あくまでもユーザに対して、優先転送対象画像が選択された状態から、転送中の状態に変わったことを明示できればよい。
【００４６】
図５（ｅ）は、優先転送対象画像の転送が完了した後の状態を例示している。図５（ｅ）の状態では、転送対象画像５００の転送ステータスが「優先転送完了」に更新され、表示部１０９に、画像の転送が完了したことを示す第６の指標５０４が表示される。なお、転送が完了した画像については特に通常のアイコンと区別する必要はないが、優先転送が完了したことをユーザに明示するよう、通常とは異なる表示を用いてもよい。図５（ｄ）に示した画像転送中の第５の指標５０３と同様に、第６の指標５０４は、アイコンの表示形態や色などを変えて表示すればよい。なお、図５（ｃ）のように優先転送対象画像に設定されている状態でＯＫボタン１１２とセットボタン１１３が同時押しされると、制御部１０１は、優先転送の設定を解除する。
【００４７】
ここで、図５とは異なる優先転送対象画像の設定方法を説明する。図５（ｂ）のように転送対象画像が指定され、表示部１０９に第１の指標５０１が表示された後、ＯＫボタン１１２とセットボタン１１３を一旦離し、所定の時間以内にＯＫボタン１１２またはセットボタン１１３を押下することで、転送対象画像５００を優先転送対象として設定することができる。なお、この設定方法では、ＯＫボタン１１２とセットボタン１１３の同時押しにより転送対象の画像を指定した後、所定の時間以内にいずれかのボタンを再度押下することで優先転送対象画像が設定される。ここで、所定の時間以内と時間的な制約だけでなく、例えば、表示部１０９が消灯し、撮影待機状態に移行するまでの期間という条件としてもよい。また、次の画像が再生されるまでの期間としてもよい。
【００４８】
＜画像撮影時の優先転送＞
図６は画像撮影時に優先転送対象の設定を行った場合の表示例を示している。図６（ａ）は、表示部１０９にライブビュー画像が逐次表示されている撮影待機状態を例示している。この撮影待機状態から、撮影ボタン１１６が押下されると、通常の撮影処理が開始される。ここで、これから撮影する画像を既存の転送対象画像よりも優先的に転送したいユースケースが想定される。そこで、本実施形態では、このようなユースケースを考慮して、図６（ａ）の撮影待機状態で、ＯＫボタン１１２が押下された状態で撮影ボタン１１６を押下されると、その後に撮影された１つまたは複数の画像を優先転送対象として設定することができる。この場合、本実施形態のように、右手で操作される撮影ボタン１１６に対して、ＯＫボタン１１２は左手で操作可能な位置に配置されている方が操作性がよい。
【００４９】
図６（ｂ）は、撮影直後の画像を確認するためのクイックレビュー状態を例示している。図６（ｂ）の撮影画像６００はＯＫボタン１１２が押下された状態で撮影された画像であるため、クイックレビュー時にはすでに優先転送対象に設定されている。よって、表示部１０９には撮影画像６００に重畳して優先転送対象画像であることを示す第４の指標６０１が表示される。図６（ｃ）は、クイックレビュー後、撮影待機状態に戻ったときの状態を示している。図６（ｃ）は次の撮影に備えている状態ではあるが、制御部１０１は通信部１１０と連携して、バックグラウンドで撮影画像の転送が続いている状態である。
【００５０】
＜クイックレビュー時の優先転送＞
図７は、クイックレビュー時に優先転送対象画像の設定を行った場合の表示例を示している。図７（ａ）は、図６（ａ）と同様に、表示部１０９にライブビュー画像が逐次表示されている撮影待機状態を示している。
【００５１】
図７（ｂ）は、図７（ａ）の状態から撮影ボタン１１６が押下され、撮影処理が行われた直後のクイックレビュー状態を例示している。ここで、クイックレビューで撮影画像を確認したときに、確認した画像を既存の転送対象画像よりも優先的に転送したいユースケースが想定される。そこで、本実施形態では、このようなユースケースを考慮して、図７（ｂ）のクイックレビュー中に、ＯＫボタン１１２とセットボタン１１３を同時押しすることで、クイックレビュー中の撮影画像７００を優先転送対象として設定することができる。
【００５２】
図７（ｃ）は、クイックレビュー中の画像が優先転送対象画像として設定された状態を示している。表示部１０９にはクイックレビュー中の撮影画像７００が優先転送対象に設定されたことを示す第４の指標７０１が表示される。図７（ｄ）は、図６（ｃ）と同様に、クイックレビュー後、撮影待機状態に戻ったときの状態を例示し、バックグラウンドで画像の転送が続いている状態である。
【００５３】
図８は、図７とは異なる優先転送対象画像の表示例を示している。図８（ａ）は、図７（ａ）と同様に撮影待機状態を示している。図８（ａ）の撮影待機状態において、ＯＫボタン１１２とセットボタン１１３が同時押しされると、図８（ｂ）のように転送対象画像に指定されたこと示す第７の指標８０２がライブビュー画像８１０に重畳して表示される。図８（ｂ）の状態から、ＯＫボタン１１２を押下した状態で撮影ボタン１１６を押下することで、その後に撮影された１つまたは複数の画像を優先転送対象として設定することができる。
【００５４】
図８（ｃ）は、図７（ｂ）と同様に、撮影直後の画像を確認するためのクイックレビュー状態を例示している。図８（ｃ）の撮影画像８００は、クイックレビュー時にはすでに優先転送対象に設定されており、表示部１０９には優先転送対象画像であることを示す第４の指標８０１が表示される。図８（ｄ）は、クイックレビュー後、撮影待機状態に戻ったときの状態を示している。図８（ｄ）は次の撮影に備えている状態ではあるが、制御部１０１は通信部１１０と連携して、バックグラウンドで撮影画像の転送が続いている状態である。なお、図８（ｄ）では撮影処理は完了しているため、第４の指標８０１は消去される。
【００５５】
＜画像再生時の優先転送処理＞次に、図９を参照して、本実施形態の撮像装置１００による画像再生時の優先転送対象画像の設定および転送処理について説明する。なお、図９の処理は、撮像装置１００の制御部１０１が不揮発性メモリ１０６から読み出した制御プログラムを作業用メモリ１０７に展開して実行することにより実現される。後述する図１０、図１１、図１２、図１３、および図１５でも同様である。
【００５６】
Ｓ９００では、制御部１０１は不揮発性メモリ１０６または記録媒体１１１から転送管理リストを取得する。Ｓ９０１では、制御部１０１は再生ボタン１１４が押下されたと判定するまで次の処理に移行せずに待機し、再生ボタン１１４が押下されたと判定した場合、Ｓ９０２に進む。
【００５７】
Ｓ９０２では、制御部１０１は再生される画像の転送ステータスを転送管理リストで確認する。転送ステータスには、図４で説明したように、「転送待ち」または「優先転送待ち」、「転送中」または「優先転送中」、「転送完了」または「優先転送完了」が存在する。Ｓ９０３では、制御部１０１はＳ９０２で確認した転送ステータスに対応する指標を、再生画像に重畳して表示部１０９に表示する。
【００５８】
Ｓ９０４では、制御部１０１はＯＫボタン１１２とセットボタン１１３が同時押しされたと判定するまで次の処理に移行せずに待機し、ＯＫボタン１１２とセットボタン１１３が同時押しされたと判定した場合、Ｓ９０５に進む。Ｓ９０５では、制御部１０１は再生中の画像がＳ９００で取得した転送管理リストに存在するか確認し、転送管理リストに存在しない場合にはＳ９０６に進み、存在する場合にはＳ９０７に進む。
【００５９】
Ｓ９０６では、制御部１０１は再生画像の画像関連情報（ファイル名）を転送管理リストの最後尾に追加し、Ｓ９０８に進む。Ｓ９０７では、制御部１０１は転送管理リストに登録されている再生画像の転送ステータスが「転送待ち」または「優先転送待ち」であるか確認し、「転送待ち」または「優先転送待ち」の場合にはＳ９２０に進み、そうでない場合にはＳ９０８に進む。
【００６０】
Ｓ９２０では、制御部１０１は転送管理リストから再生画像の画像関連情報を削除する。Ｓ９２１では、制御部１０１は再生画像が転送対象であることを示す指標の表示を消去し、図５（ａ）のような状態となる。このように既に転送対象または優先転送対象として設定した再生画像について再生中にＯＫボタン１１２とセットボタン１１３を同時押しすることにより設定を解除することができる。
Ｓ９０８では、制御部１０１は再生画像の転送ステータスを「転送待ち」に転送管理リストを更新する。Ｓ９０９では、制御部１０１は転送ステータスが「転送待ち」であることを示す指標を表示部１０９に表示し、図５（ｂ）のような状態となる。
【００６１】
Ｓ９１０では、制御部１０１はＯＫボタン１１２とセットボタン１１３が同時に長押しされているか判定し、同時に長押しされている場合には、現在表示中の画像を優先転送の対象とするためＳ９１１に進み、そうでない場合はＳ９１３に進む。Ｓ９１１では、制御部１０１は現在表示中の画像の画像関連情報（ファイル名）を転送管理リストの先頭に移動し、転送ステータス「優先転送待ち」とする。
【００６２】
Ｓ９１２では、制御部１０１は優先転送対象画像であることを示す指標を表示部１０９に表示し、図５（ｃ）のような状態となる。Ｓ９１３では、制御部１０１は通信部１１０により画像転送先である外部装置２００との通信状態を確認し、外部装置２００との接続が確立されていない場合には処理を終了し、接続が確立されている場合にはＳ９１４に進む。
【００６３】
Ｓ９１４では、制御部１０１は優先転送対象画像の転送が開始されるまで次の処理に移行せずに待機し、転送が開始されたと判定するとＳ９１５に進む。Ｓ９１５では、制御部１０１は転送管理リストの転送ステータスを「優先転送中」に更新する。
【００６４】
Ｓ９１６では、制御部１０１は優先転送中であることを示す指標を表示部１０９に表示し、図５（ｄ）のような状態となる。Ｓ９１７では、制御部１０１は優先転送が完了するまで次の処理に移行せずに待機し、優先転送が完了するとＳ９１８に進む。
【００６５】
Ｓ９１８では、制御部１０１は転送管理リストの転送ステータスを「転送完了」に更新する。Ｓ９１９では、制御部１０１は転送ステータスが「転送完了」であることを示す指標を表示部１０９に表示し、図５（ｅ）のような状態となる。優先転送対象画像が転送完了となると、優先転送対象ではない転送ステータスが「転送待ち」の画像の転送が開始される。
【００６６】
上述した図９の優先転送処理によれば、画像再生時に転送対象画像を指定する操作から引き続き行えるような簡単な操作で早く優先転送対象画像の設定を行うことができるので、画像を一刻も早く転送したいというニーズに的確に応えられる手段を提供することができる。
【００６７】
なお、図９ではＳ９１０でＯＫボタン１１２とセットボタン１１３が同時に長押しされた場合を優先転送対象画像の設定および転送処理の開始条件としたが、ボタンの組み合わせや操作方法は上述したものに限定されるものではない。例えば、ＯＫボタン１１２が押された状態でセットボタン１１３がダブルクリック（二度連続して押下）された場合やセットボタン１１３が押された状態でＯＫボタン１１２がダブルクリックされた場合を条件としてもよい。また、ＯＫボタン１１２とセットボタン１１３が同時にダブルクリックされた場合を条件としてもよい。
＜クイックレビュー時の優先転送処理＞次に、図１０を参照して、本実施形態の撮像装置１００によるクイックレビュー時の優先転送対象画像の設定および転送処理について説明する。
【００６８】
Ｓ１０００では、制御部１０１は不揮発性メモリ１０６または記録媒体１１１から転送管理リストを取得する。Ｓ１００１では、制御部１０１は撮影ボタン１１６が押下されたと判定するまで次の処理に移行せずに待機し、撮影ボタン１１６が押下されたと判定した場合、Ｓ１００２に進む。
【００６９】
Ｓ１００２では、撮影ボタン１１６が押下されたときにＯＫボタン１１２が押下されていたか判定し、ＯＫボタン１１２が押下されていない場合は撮影処理を実行してＳ１００４に進み、ＯＫボタン１１２が押下されていた場合はＳ１００３に進む。Ｓ１００３では、制御部１０１は撮影処理を行うとともに、撮影した画像の画像関連情報を転送管理リストの先頭に移動し、転送ステータス「優先転送待ち」とする。
【００７０】
Ｓ１００４では、制御部１０１は、Ｓ１００３で撮影された画像を表示部１０９にクイックレビュー表示する。Ｓ１００５では、制御部１０１はクイックレビュー中の画像がＳ１０００で取得した転送管理リストに存在するか確認し、存在しない場合にはＳ１００８に進み、存在する場合にはＳ１００６に進む。
【００７１】
Ｓ１００６では、制御部１０１はクイックレビュー中の画像の転送ステータスを転送管理リストから取得する。Ｓ１００７では、制御部１０１はＳ１００６で取得した転送ステータスに対応する指標を画像に重畳して表示部１０９に表示する。
【００７２】
Ｓ１００８では、制御部１０１はクイックレビューが継続中か判定し、クイックレビューが継続中の場合はＳ１００９に進み、クイックレビューが終了した場合は処理を終了する。ここで、クイックレビューが終了する条件としては、撮影画像が表示されてから所定の時間が経過した場合やユーザが所定の操作を行った場合などが考えられる。Ｓ１００９では、制御部１０１はＯＫボタン１１２とセットボタン１１３が同時押しされたか判定し、同時押しされていない場合はＳ１００８に戻り、同時押しされた場合はＳ１０１０に進む。
【００７３】
Ｓ１０１０では、制御部１０１はクイックレビュー中の画像がＳ１０００で取得した転送管理リストに存在するか確認し、転送管理リストに存在していない場合にはＳ１０１１に進み、存在する場合にはＳ１０１２に進む。
【００７４】
Ｓ１０１１では、制御部１０１はクイックレビュー中の画像の画像関連情報を転送管理リストの先頭に追加し、転送ステータスを「優先転送待ち」とし、Ｓ１０１６に進む。Ｓ１０１６では、制御部１０１は優先転送の対象画像であることを示す指標を撮影画像に重畳して表示部１０９に表示し、図７（ｃ）のような状態となる。その後、Ｓ１００８に戻り、クイックレビュー中はＳ１００８からの処理を継続して行う。
Ｓ１０１２では、制御部１０１はクイックレビュー中の画像の転送ステータスが「優先転送待ち」であるか転送管理リストで確認し、「優先転送待ち」である場合にはＳ１０１４に進み、そうでない場合にはＳ１０１３に進む。Ｓ１０１３では、制御部１０１はクイックレビュー中の画像の画像関連情報を転送管理リストの先頭に移動し、転送ステータスを「優先転送待ち」とし、Ｓ１０１６に進む。
【００７５】
Ｓ１０１４では、制御部１０１は優先転送対象画像の転送ステータスが「優先転送待ち」から「転送完了」となった後、転送管理リストから画像関連情報を削除する。Ｓ１０１５では、制御部１０１は優先転送対象画像であることを示す指標を表示部１０９から消去し、図７（ｂ）のような状態となる。このように撮影時に優先転送対象として設定した撮影画像についてクイックレビュー中にＯＫボタン１１２とセットボタン１１３を同時押しすることにより設定を解除することができる。
上述した図１０の優先転送処理によれば、画像撮影時に撮影開始指示と同時に行える簡単な操作で早く優先転送対象画像の設定を行うことができる。これにより、画像を一刻も早く転送したいというニーズに的確に応えられる手段を提供することができる。
【００７６】
なお、図１０のフローチャートでは省略するが、図９と同様に、外部装置との接続が確立された状態であれば画像転送が開始され、転送ステータスは「優先転送中」となる。また、画像転送が完了すると、転送ステータスは「転送完了」となる。後述する図１１、図１２、図１３、および図１５でも同様である。
【００７７】
また、図９および図１０では、ＯＫボタン１１２とセットボタン１１３が同時押しまたは同時長押しされた場合、Ｓ９１１、Ｓ１０１１、Ｓ１０１３において優先転送対象画像に設定された画像関連情報を転送管理リストの先頭に配置するように制御した。これに対して、既に転送管理リスト中に優先転送対象画像が存在する場合には、既存の優先転送対象画像の最後尾に追加するように構成してもよい。重要なことは、優先転送対象画像がそれ以外の転送対象画像よりも先に転送されるようにリストに登録されることである。
【００７８】
［実施形態２］次に、図１１から図１３を参照して、実施形態２について説明する。
【００７９】
上述した実施形態１では、単一の画像の再生時や撮影時の優先転送処理について説明した。これに対して、本実施形態は、複数の画像を撮影する連写撮影時の優先転送処理を説明する。図１１は画像撮影時の処理を示している。
【００８０】
Ｓ１１００では、制御部１０１は不揮発性メモリ１０６または記録媒体１１１から転送管理リストを取得する。Ｓ１１０１では、制御部１０１は撮影ボタン１１６が押下されたと判定するまで次の処理に移行せずに待機し、撮影ボタン１１６が押下されたと判定した場合、Ｓ１１０２に進む。
【００８１】
Ｓ１１０２では、制御部１０１は撮影ボタン１１６が押されたままで連写撮影が実行されているか判定し、連写撮影であると判定した場合はＳ１１０３に進み、単写撮影であると判定した場合はＳ１１０６に進む。Ｓ１１０３では、制御部１０１はＯＫボタン１１２が押下されているか判定し、ＯＫボタン１１２が押下されている場合はＳ１１０５に進み、押下されていない場合はＳ１１１０に進む。
【００８２】
Ｓ１１０４では、制御部１０１は連写撮影された一連の画像を優先転送対象に設定するためのフラグをセットする。Ｓ１１０５では、制御部１０１は連写撮影された画像データから画像処理部１０５により画像ファイルが生成される。
【００８３】
Ｓ１１０６では、制御部１０１は、フラグがセットされた後に連写撮影された画像全てを優先転送対象に設定する。制御部１０１は連写撮影された全ての画像の画像関連情報を転送管理リストの先頭に追加し、転送ステータスを「優先転送待ち」とし、Ｓ１１０７に進む。
【００８４】
Ｓ１１０７では、制御部１０１はＯＫボタン１１２が継続して押下されているか判定し、押下されている場合はＳ１１０８に進み、押下されていない場合はＳ１１０９に進む。ＯＫボタン１１２が押下されていてもいなくても、Ｓ１１０５で生成された連写撮影画像は優先転送対象となる。
【００８５】
Ｓ１１０８では、制御部１０１は撮影ボタン１１６が継続して押下されているか判定し、押下されている場合は連写撮影が継続されているのでＳ１１０５に戻り、押下されていない場合は連写撮影は終了しているのでＳ１１０９に進む。
【００８６】
Ｓ１１０９では、制御部１０１はＳ１１０４でセットしたフラグをリセットする。Ｓ１１１０では、制御部１０１は撮影画像をクイックレビュー表示する。Ｓ１１１１では、制御部１０１はＯＫボタン１１２が押下されているか判定し、ＯＫボタン１１２が押下されている場合はＳ１１１２に進み、押下されていない場合はＳ１１１０に進み、連写撮影ではない単一の画像の撮影処理を実行する。
【００８７】
Ｓ１１１２では、制御部１０１は単写撮影された画像を優先転送対象に設定する。制御部１０１は単写撮影された画像の画像関連情報を転送管理リストの先頭に追加し、転送ステータスを「優先転送待ち」とし、Ｓ１１１０に進む。
【００８８】
上述した図１１の優先転送処理によれば、連写撮影の操作中に行える簡単な操作で早く優先転送対象画像の設定を行うことができるので、画像を一刻も早く転送したいというニーズに的確に応えられる手段を提供することができる。例えば、転送する画像を転送元の撮影者が選ぶよりも、撮影した画像を全て転送して転送先で選んでもらった方がよい場合に有用な手段となり得る。また、緊急を要するケースなどで画像を連写した際に連写撮影画像を確認してどの画像を優先的に転送するべきか確認する時間がない場合に、撮影者が最小限の手間で連写撮影画像を優先的に転送できるようになる。これらのメリットは、カメラマンと報道局の関係のように、速報性が求められ、かつ転送先の方が画像確認・編集のためのリソースが豊富であるユースケースにおいて特に顕著である。
【００８９】
図１２は、連写撮影された画像再生時の処理を示している。
【００９０】
Ｓ１２００では、制御部１０１は不揮発性メモリ１０６または記録媒体１１１から転送管理リストを取得する。Ｓ１２０１では、制御部１０１は再生ボタン１１４が押下されたと判定するまで次の処理に移行せずに待機し、再生ボタン１１４が押下されたと判定した場合、Ｓ１２０２に進む。
【００９１】
Ｓ１２０２では、制御部１０１は再生画像が連写撮影された画像の一部であるか判定し、連写撮影された画像であると判定した場合はＳ１２０３に進み、単写撮影された画像であると判定した場合はＳ１２０５に進む。連写撮影された画像の一部であるか否かは、制御部１０１が連写撮影画像のメタデータに付加された識別情報により判定する。
【００９２】
Ｓ１２０３では、制御部１０１はＯＫボタン１１２とセットボタン１１３が同時に長押しされているか判定する。そして、同時に長押しされている場合には、同時長押しにより選択された連写撮影画像を優先転送対象に設定するためＳ１２０４に進み、そうでない場合は処理を終了する。
【００９３】
Ｓ１２０４では、制御部１０１は連写撮影されたすべての画像のうち、選択された画像のみの画像関連情報を転送管理リストの先頭に移動し、転送ステータス「優先転送待ち」とする。優先転送対象の画像の選択は、様々な方法が考えられるが、例えば、図９の転送対象画像の指定と同様に、連写撮影画像が再生されるごとにボタンの同時押しを行って設定することが考えられる。
【００９４】
Ｓ１２０５では、制御部１０１はＯＫボタン１１２とセットボタン１１３が同時に長押しされているか判定し、同時に長押しされている場合には、再生画像を優先転送対象に設定するためＳ１２０６に進み、そうでない場合は処理を終了する。
【００９５】
Ｓ１２０６では、制御部１０１は再生画像の画像関連情報を転送管理リストの先頭に移動し、転送ステータス「優先転送待ち」とする。
【００９６】
上述した図１２の優先転送処理によれば、連写撮影された画像の再生中に簡単な操作で早く優先転送対象画像の設定を行い、連写撮影された画像から選択した画像のみを間引いて転送することができる。これにより、転送元の撮影者が転送したい画像を容易に取捨選択し、転送することができる。
【００９７】
次に、図１３を参照して、実施形態２の変形例について説明する。
【００９８】
本実施形態は、上述した図１１の処理の変形例であり、連写撮影時に連写撮影画像を関連付ける情報を付加しておき、連写中にＯＫボタン１１２が押下されたときにすべての連写撮影画像を優先転送対象に設定する処理である。図１３は画像撮影時の優先転送処理を示している。
【００９９】
Ｓ１３００では、制御部１０１は不揮発性メモリ１０６または記録媒体１１１から転送管理リストを取得する。Ｓ１３０１では、制御部１０１は撮影ボタン１１６が押下されたと判定するまで次の処理に移行せずに待機し、撮影ボタン１１６が押下されたと判定した場合、Ｓ１３０２に進む。
【０１００】
Ｓ１３０２では、制御部１０１は撮影された画像データから画像処理部１０５により画像ファイルが生成される。制御部１０１は、生成された画像が連写撮影された画像である場合には、それを判別可能なように、画像データのメタデータに連写撮影された画像の一部であることを識別可能な情報を付加しておく。
【０１０１】
Ｓ１３０３では、制御部１０１はＯＫボタン１１２が押下されているか判定し、ＯＫボタン１１２が押下されている場合はＳ１３０４に進み、押下されていない場合はＳ１３０８に進む。Ｓ１３０４では、制御部１０１は連写撮影された画像を優先転送対象に設定するためのフラグをセットする。
【０１０２】
Ｓ１３０５では、制御部１０１は連写撮影画像のうち、優先転送対象に設定していない画像をサーチする。サーチの結果、Ｓ１３０６で優先転送対象に設定していない画像がある場合はＳ１３０７に進み、優先転送対象に設定していない画像がない場合はＳ１３０８に進む。
【０１０３】
Ｓ１３０７では、制御部１０１は、優先転送対象に設定されていない連写撮影画像の画像関連情報を転送管理リストの先頭に追加し、転送ステータスを「優先転送待ち」とし、Ｓ１３０８に進む。
【０１０４】
Ｓ１３０８では、制御部１０１は撮影ボタン１１６が継続して押下されているか判定し、押下されている場合は連写撮影が継続されているのでＳ１３０２に戻り、押下されていない場合は連写撮影は終了しているのでＳ１３０９に進む。Ｓ１３０９では、制御部１０１はＳ１３０４でセットしたフラグをリセットする。Ｓ１３１０では、制御部１０１は撮影画像をクイックレビュー表示する。
【０１０５】
上述した図１３の優先転送処理によれば、連写撮影中に行える簡単な操作で早く連写撮影により得られた画像をまとめて優先転送対象画像に設定することができるので、画像を一刻も早く転送したいというニーズに的確に応えられる手段を提供することができる。例えば、転送する画像を転送元の撮影者が選ぶよりも、撮影した画像を全て転送して転送先で選んでもらった方がよい場合に有用な手段となり得る。また、緊急を要するケースなどで画像を連写した際に連写撮影画像を確認してどの画像を優先的に転送するべきか確認する時間がない場合に、撮影者が最小限の手間で連写撮影画像を優先的に転送できるようになる。
【０１０６】
次に、図１４を参照して、優先転送対象に設定された連写撮影画像の転送順序の設定方法を説明する。
【０１０７】
１４００は優先転送対象に設定された連写撮影画像の転送順序を変更するための設定画面を例示している。本実施形では、図１４に示す設定画面において、「順番」、「スキップ」および「中央」のいずれかの転送順序を選択することができる。１４０１は連写撮影画像を示している。図示の例では、５枚連写したときの動作を説明する。１４０２は設定画面１４００で「順番」が選択された場合の転送管理リストの登録内容を例示している。優先度として「順番」を選択した場合は、連写撮影された順番で各画像が転送管理リストに追加され、転送ステータスが「優先転送待ち」に設定される。連写撮影画像を優先転送対象に設定する条件は、前述した通り、ＯＫボタン１１２が押下された状態で撮影ボタン１１６が押下されたことである。
【０１０８】
１４０３は設定画面１４００で「スキップ」が選択された場合の転送管理リストの登録内容を例示している。優先度として「スキップ」を選択した場合は、連写撮影された画像のうち、奇数の順番または偶数の順番の画像が転送管理リストの前に追加される。図示の例では、ＩＭＧ＿０００１、ＩＭＧ０００３、ＩＭＧ＿０００５が転送管理リストの前に追加され、ＩＭＧ＿０００２、ＩＭＧ＿０００４がその後に追加される。これにより、撮影タイミングが近接する類似した画像は後で転送するという設定が可能となる。
【０１０９】
１４０４は設定画面１４００で「中央」が選択された場合の転送管理リストの登録内容を例示している。優先度として「中央」を選択した場合は、連写撮影された画像のうち、撮影の順番が中央にある画像が転送管理リストの先頭に追加され、その画像に隣接する画像がその次の順番に追加され、残りの画像が最後に追加される。図示の例では、ＩＭＧ＿０００３が転送管理リストの先頭、その画像に隣接するＩＭＧ＿０００２、ＩＭＧ＿０００４が転送管理リストの次の順番、残りのＩＭＧ＿０００１、ＩＭＧ＿０００５が最後に追加される。これにより、例えば、決定的瞬間が連写の真ん中付近で撮影された画像を優先的に転送することが可能となる。
【０１１０】
図１４のように予め優先転送対象の連写撮影画像の転送順序を設定しておくことで、連写撮影の操作中に別の操作を行わずに所望の順番で優先転送対象画像を転送することができる。これにより、優先度の高い画像を一刻も早く転送したいというニーズに的確に応えられる手段を提供することができ、例えば、転送先の編集者が転送した画像を選ぶ際の補助的な手段となり得る。
【０１１１】
［実施形態３］次に、図１５を参照して、実施形態３について説明する。
【０１１２】
本実施形態は、画像再生時に優先転送対象画像を設定する操作（ＯＫボタン１１２とセットボタン１１３の同時長押し）がなされた場合、再生モードが終了するまで優先転送対象画像の設定および転送処理を継続する処理を説明する。
【０１１３】
図１５は、本実施形態の画像再生時の優先転送対象画像の設定および転送処理を示している。
【０１１４】
なお、図１５のＳ１５００からＳ１５２１は、実施形態１の図９のＳ９００からＳ９２１と同様の処理であるので説明を省略する。
【０１１５】
Ｓ１５１３で外部装置２００との接続が確立されていない場合またはＳ１５１９で図５（ｅ）のような転送完了状態を表示した後、処理はＳ１５２２に進む。
【０１１６】
Ｓ１５２２では、制御部１０１は再生モードが継続中か判定し、再生モードが継続中の場合はＳ１５２３に進み、再生モードが終了した場合は処理を終了する。ここで、再生モードが終了する条件としては、撮影ボタン１１６が押下された場合やユーザが所定の操作を行った場合（例えば、メニュー画面を表示するためのメニューボタンが押下された場合）などを想定している。
【０１１７】
Ｓ１５２３では、制御部１０１はＯＫボタン１１２またはセットボタン１１３が押されたか判定し、押されていない場合はＳ１５２３に戻り、押された場合はＳ１５２４に進む。
【０１１８】
Ｓ１５２４では、制御部１０１は再生中の画像がＳ１５００で取得した転送管理リストに存在するか確認し、転送管理リストに存在していない場合にはＳ１５２５に進み、存在する場合にはＳ１５２６に進む。
【０１１９】
Ｓ１５２５では、制御部１０１は再生中の画像の画像関連情報を転送管理リストの先頭に追加し、転送ステータスを「優先転送待ち」とし、Ｓ１５２８に進む。Ｓ１５２８では、制御部１０１は優先転送の対象画像であることを示す指標を撮影画像に重畳して表示部１０９に表示し、図５（ｃ）のような状態となる。その後、Ｓ１５１３に戻り、再生モード中はＳ１５１３からの処理を継続して行う。
【０１２０】
Ｓ１５２６では、制御部１０１は再生中の画像の転送ステータスが「優先転送待ち」であるか転送管理リストで確認し、「優先転送待ち」である場合にはＳ１５２０に進み、そうでない場合にはＳ１５２７に進む。Ｓ１５２７では、制御部１０１は再生中の画像の画像関連情報を転送管理リストの先頭に移動し、転送ステータスを「優先転送待ち」とし、Ｓ１５２８に進む。
【０１２１】
上述した図１５の優先転送処理によれば、再生モード中は優先転送対象画像の設定を簡単な操作（例えば、ＯＫボタン１１２またはセットボタン１１３を単独で押下するような操作）で連続して行うことができる。これにより、画像を一刻も早く転送したいというニーズに的確に応えられる手段を提供することができる。
【０１２２】
なお、図１５では、Ｓ１５２２で再生モードが終了した場合に、優先転送対象画像の設定および転送処理を終了するように説明したが、画像が再生されてから所定の時間が経過した場合やユーザが所定の操作を行った場合などを処理を終了する条件としてもよい。
【０１２３】
なお、上述した各実施形態では、優先転送対象画像の設定および転送処理を開始する条件として、２つのボタン（ＯＫボタン１１２とセットボタン１１３）を組み合わせた操作としたが、３つ以上のボタンを組み合わせた操作としてもよい。
また、上述した各実施形態では、転送対象画像や優先転送対象画像の転送ステータスをアイコンで表示する例を説明したが、特にアイコン表示に限定するわけではなく、メッセージ表示などを用いてもよい。表示方法は実施可能なあらゆる方法を包含している。
【０１２４】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１２５】
１０１…制御部、１０３…撮像部、１０８…操作部、１０９…表示部、１１０…通信部、１１２…ＯＫボタン（第１の操作部材）、１１３…セットボタン（第２の操作部材）、１１６…撮影ボタン
【図１】
2018137725.tif 000003
【図２】
2018137725.tif 000004
【図３】
2018137725.tif 000005
【図４】
2018137725.tif 000006
【図５】
2018137725.tif 000007
【図６】
2018137725.tif 000008
【図７】
2018137725.tif 000009
【図８】
2018137725.tif 000010
【図９】
2018137725.tif 000011
【図１０】
2018137725.tif 000012
【図１１】
2018137725.tif 000013
【図１２】
2018137725.tif 000014
【図１３】
2018137725.tif 000015
【図１４】
2018137725.tif 000016
【図１５】
2018137725.tif 000017